(57)【要約】  この加熱調理器は、第１加熱領域８と第２加熱領域１０と第１接線１２と第２接線１３とを備え、第１接線１２が第２加熱領域１０と交差し、かつ、第２接線１３が第２加熱領域１０と交差しない構成とすることで、本体の上面の左右スペースを狭くすることができ、かつ、第１加熱領域８と第２加熱領域１０に対応する第１数値表示部５と第２数値表示部７との関連性を保つことができる。
2012137518.tif 000002
【特許請求の範囲】
【請求項１】
本体の上面に設けられ、被加熱物を下方から加熱する第１加熱部及び第２加熱部を備え、
前記第１加熱部は、
加熱出力を設定出力になるように調整する第１出力調整部と、
前記第１加熱部と対応して前記本体の上面の手前側に設けられ前記設定出力を表示する３桁以上の第１数値表示部と、
前記本体の上面に設けられ、前記第１加熱部で加熱可能な範囲となる第１加熱領域を表示する第１加熱領域表示部と、
を備え、
前記第２加熱部は、
加熱出力を設定出力になるように調整する第２出力調整部と、
前記第２加熱部と対応して前記本体の上面の手前側に設けられ、前記設定出力を表示する２桁以下の第２数値表示部と、
前記本体の上面に設けられ第２加熱部で加熱可能な範囲となる第２加熱領域を表示する第２加熱領域表示部と、
を備え、
前記本体の前面に垂直で前記第２加熱部が位置する側の前記第１加熱領域の接線である第１接線が前記第２加熱領域と交差し、かつ、前記本体の前面に垂直で前記第２加熱部が位置する側と反対側の前記第１加熱領域の接線である第２接線が前記第２加熱領域と交差しない構成とした加熱調理器。
【請求項２】
前記第１接線が前記本体正面から見て前記第２加熱部の中心より右側で前記第２加熱領域と交差する構成とした請求項１に記載の加熱調理器。
【請求項３】
前記本体の前面に対して垂直で前記第１加熱領域と交差しない側の前記第２加熱領域の接線である第３接線と前記第１接線との間に前記第２数値表示部を前記第２数値表示部の全体が含まれるように配置する構成とした請求項１または２に記載の加熱調理器。
【請求項４】
前記第１数値表示部の端部が前記第２接線上に位置し、前記第２数値表示部の端部が前記第３接線上に位置するとともに、前記第２加熱部の中心が前記第１接線よりも前記第１加熱部側に位置する構成とした請求項３に記載の加熱調理器。
【請求項５】
前記第２数値表示部の左右方向の幅は、前記第１接線と前記第３接線との間の距離よりも小さくなるように構成した請求項３または４に記載の加熱調理器。
【請求項６】
前記第１加熱領域及び前記第２加熱領域は本体の上面から見て円形とし、前記第２加熱領域の直径は、前記第１加熱領域の直径よりも小さくなるように構成した請求項１〜５のいずれか１項に記載の加熱調理器。
【請求項７】
前記第１数値表示部の中心となる第１中心点が前記本体の前面に垂直で前記第１加熱部の中心を通る第１中心線と前記第１接線との間に位置するとともに、
前記第２数値表示部の中心となる第２中心点が前記本体の前面に垂直で前記第２加熱部の中心を通る第２中心線と前記本体の前面に対して垂直で前記第１加熱領域と交差しない側の前記第２加熱領域の接線である第３接線との間に位置する構成とした請求項１に記載の加熱調理器。
【請求項８】
前記第１数値表示部は、前記第１加熱部が前記設定出力で加熱動作を行う際に、前記第２数値表示部に最も近いセグメント以外のセグメントで前記設定出力のレベルを表示するようにした請求項１または７に記載の加熱調理器。
【請求項９】
前記第１加熱部の中心を示す第３中心点と前記第２加熱部の中心を示す第４中心点を有し、
前記第１中心点と前記第３中心点を結ぶ第１線分と前記第１中心線から形成される第１角度と、前記第２中心点と前記第４中心点を結ぶ第２線分と前記第２中心線から形成される第２角度が略同一となる前記第１数値表示部のセグメントで前記設定出力のレベルを表示するようにした請求項１または７に記載の加熱調理器。
【発明の詳細な説明】
【技術分野】
【０００１】
本発明は、一般キッチンや業務用などに用いられる加熱調理器に関するものである。
【背景技術】
【０００２】
従来、この種の加熱調理器は、加熱出力などを操作する操作表示部と加熱部の各中心を通るように本体に垂直な線で配置される構成となっている（特許文献１参照）。【０００３】
図１１は、特許文献１に記載された従来の加熱調理器の外観図を示すものである。左操作表示部４４と右操作表示部４５と後操作表示部４６は、各々の左加熱部４１と右加熱部４２と後加熱部４３の加熱設定状態を示す火力表示バーを備えている。左中心線４８は、左加熱部４１と左操作表示部４４の各中心を通る線である。右中心線４９は、右加熱部４２と右操作表示部４５の各中心を通る線である。後中心線５０は、後加熱部４３と後操作表示部４６の各中心を通る線である。各加熱部と各操作表示部が各中心を通る同一線上に配置している。
【先行技術文献】
【特許文献】
【０００４】
【特許文献１】特開２００９−１３４９１９号公報
【発明の概要】
【発明が解決しようとする課題】
【０００５】
しかしながら、前記従来の構成では、加熱設定状態を火力表示バーで示し、加熱部の中心と操作表示部の中心を本体に垂直な線を通るように配置しているので、本体トッププレートに対してスペースを有効利用していないという課題を有していた。【０００６】
本発明は、前記従来の課題を解決するもので、加熱設定状態を火力表示バーではなく数値表示部を用い、さらには数値表示部の桁数を小さくすることで加熱部の加熱領域が重なっても前後の加熱部と数値表示部が対応関係を保持することができる本体トッププレートの左右スペースを狭くした加熱調理器を提供することを目的とする。
【課題を解決するための手段】
【０００７】
前記従来の課題を解決するために、本発明の加熱調理器は、
本体の上面に設けられ、被加熱物を下方から加熱する第１加熱部及び第２加熱部を備え、
前記第１加熱部は、
加熱出力を設定出力になるように調整する第１出力調整部と、
前記第１加熱部と対応して前記本体の上面の手前側に設けられ、前記設定温度を表示する３桁以上の第１数値表示部と、
前記本体の上面に設けられ、前記第１加熱部で加熱可能な範囲となる第１加熱領域を表示する第１加熱領域表示部と、
を備え、
前記第２加熱部は、
加熱出力を設定出力になるように調整する第２出力調整部と、
前記第２加熱部と対応して前記本体の上面の手前側に設けられ、前記設定出力を表示する２桁以下の第２数値表示部と、
前記本体の上面に設けられ第２加熱部で加熱可能な範囲となる第２加熱領域を表示する第２加熱領域表示部と、
を備え、
前記本体の前面に垂直で前記第２加熱部が位置する側の前記第１加熱領域の接線である第１接線が前記第２加熱領域と交差し、かつ、前記本体の前面に垂直で前記第２加熱部が位置する側と反対側の前記第１加熱領域の接線である第２接線が前記第２加熱領域と交差しない構成としたものである。【０００８】
これによって、本体トッププレートの左右スペースを狭くすることができ、かつ、各加熱領域と各数値表示部の対応表示が可能であり、使用者にとって操作性や視認性を損なうことなく省スペース化が可能な加熱調理器を提供することができる。
【発明の効果】
【０００９】
本発明の加熱調理器は、本体トッププレートの左右スペースを狭くすることができ、かつ、使用者にとって操作性や視認性を損なうことなく従来までの加熱調理器と同様の扱いが可能である。
【図面の簡単な説明】
【００１０】
【図１】本発明の実施の形態１における加熱調理器の上面図
【図２】本発明の実施の形態２における加熱調理器の上面図
【図３】本発明の実施の形態３における加熱調理器の上面図
【図４】本発明の実施の形態４における加熱調理器の上面図
【図５】本発明の実施の形態５における加熱調理器の上面図
【図６】本発明の実施の形態６における加熱調理器の上面図
【図７】本発明の実施の形態７における加熱調理器の上面図
【図８】本発明の実施の形態１及び７における加熱調理器のブロック図
【図９】本発明の実施の形態８における加熱調理器の上面図
【図１０】本発明の実施の形態９における加熱調理器の上面図
【図１１】従来の加熱調理器の外観図
【発明を実施するための形態】
【００１１】
第１の発明は、
本体の上面に設けられ、被加熱物を下方から加熱する第１加熱部及び第２加熱部を備え、
前記第１加熱部は、
加熱出力を設定出力になるように調整する第１出力調整部と、
前記第１加熱部と対応して前記本体の上面の手前側に設けられ前記設定温度を表示する３桁以上の第１数値表示部と、
前記本体の上面に設けられ、前記第１加熱部で加熱可能な範囲となる第１加熱領域を表示する第１加熱領域表示部と、
を備え、
前記第２加熱部は、
加熱出力を設定出力になるように調整する第２出力調整部と、
前記第２加熱部と対応して前記本体の上面の手前側に設けられ、前記設定出力を表示する２桁以下の第２数値表示部と、
前記本体の上面に設けられ第２加熱部で加熱可能な範囲となる第２加熱領域を表示する第２加熱領域表示部と、
を備え、
前記本体の前面に垂直で前記第２加熱部が位置する側の前記第１加熱領域の接線である第１接線が前記第２加熱領域と交差し、かつ、前記本体の前面に垂直で前記第２加熱部が位置する側と反対側の前記第１加熱領域の接線である第２接線が前記第２加熱領域と交差しない構成とすることで、本体の上面の左右スペースを狭くすることができ、かつ、第１加熱領域と第２加熱領域に対応する第１数値表示部と第２数値表示部との関連性を保つことができる。
【００１２】
第２の発明は、特に、第１の発明の加熱調理器において、前記第１接線が前記本体正面から見て前記第２加熱部の中心より右側で前記第２加熱領域と交差する構成とするものである。これによって、本体の上面の左右スペースを更に狭くすることができるので、省スペース化が可能となる。
【００１３】
第３の発明は、特に、第１または第２の発明の加熱調理器において、前記本体の前面に対して垂直で前記第１加熱領域と交差しない側の前記第２加熱領域の接線である第３接線と前記第１接線との間に前記第２数値表示部を前記第２数値表示部の全体が含まれるように配置する構成とするものである。これによって、第２加熱領域と第２数値表示部の対応関係が明確化されるので、視認性の向上に繋がる。
【００１４】
第４の発明は、特に、第３の発明の加熱調理器において、前記第１数値表示部の端部が前記第２接線上に位置し、前記第２数値表示部の端部が前記第３接線上に位置するとともに、前記第２加熱部の中心が前記第１接線よりも前記第１加熱部側に位置する構成とするものである。これによって、第１加熱領域と第２加熱領域に対応する第１数値表示部と第２数値表示部の対応関係がより明確化され、操作性の向上に繋がる。
【００１５】
第５の発明は、特に、第３または第４の発明の加熱調理器において、前記第２数値表示部の左右方向の幅は、前記第１接線と前記第３接線との間の距離よりも小さくなるように構成するものである。これによって、数値表示部の小型化が可能となり視認性を損なわずに製品のコストダウンを実現することができる。
【００１６】
第６の発明は、特に、第１〜５のいずれか１つの発明の加熱調理器において、前記第１加熱領域及び前記第２加熱領域は、前記本体の上面から見て円形とし、前記第２加熱領域の直径は前記第１加熱領域の直径よりも小さくなるように構成するものである。これによって、第１加熱部は揚げ物調理や焼き物調理などの鍋径が大きい調理用途に対応させ、第２加熱部は湯沸しなどの鍋径が小さい調理用途に対応させることができる。そこで、使用用途を考慮した加熱領域の構成をとることができる。また、鍋径が大きい第１加熱部に対して桁数の多い第１数値表示部を対応させ、鍋径が小さい第２加熱部に対して桁数の少ない第２数値表示部を対応させている。これによって、鍋径と表示の大小相関が取れることにより、操作性や視認性を向上することができる。
【００１７】
第７の発明は、特に第１の発明の加熱調理器において、前記第１数値表示部の中心となる第１中心点が前記本体の前面に垂直で前記第１加熱部の中心を通る第１中心線と前記第１接線との間に位置するとともに、
前記第２数値表示部の中心となる第２中心点が前記本体の前面に垂直で前記第２加熱部の中心を通る第２中心線と前記本体の前面に対して垂直で前記第１加熱領域と交差しない側の前記第２加熱領域の接線である第３接線との間に位置する構成としたものである。
これによって、第１加熱領域と第２加熱領域に対応する第１数値表示部と第２数値表示部との関連性を保つことができる。
【００１８】
第８の発明は、特に第１又は第７の発明の加熱調理器において、前記第１数値表示部は、前記第１加熱部が前記設定出力で加熱動作を行う際に、前記第２数値表示部に最も近いセグメント以外のセグメントで前記設定出力のレベルを表示するようにしたものである。
これによって、第２加熱部と第１数値表示部の視覚的な重なりを低減することができるので、より一層、第１加熱領域と第２加熱領域に対応する第１数値表示部と第２数値表示部との関連性を保つことができる。
【００１９】
第９の発明は、特に第１又は第７の発明の加熱調理器において、前記第１加熱部の中心を示す第３中心点と前記第２加熱部の中心を示す第４中心点を有し、
前記第１中心点と前記第３中心点を結ぶ第１線分と前記第１中心線から形成される第１角度と、前記第２中心点と前記第４中心点を結ぶ第２線分と前記第２中心線から形成される第２角度が略同一となる前記第１数値表示部のセグメントで前記設定出力のレベルを表示するようにしたものである。
これによって、各加熱部とそれに対応する各数値表示部の関連性を更に強めることができる。
【００２０】
以下、本発明の実施の形態について、図面を参照しながら説明する。なお、この実施の形態によって本発明が限定されるものではない。
【００２１】
（実施の形態１）
図１は、本発明の実施の形態１における加熱調理器の上面図である。
【００２２】
図１において、本体上面に設けられたセラミック製のトッププレートと、トッププレート下には、高周波磁界を発生させることによって、トッププレート上の調理容器を誘導加熱する加熱コイルを備える。
【００２３】
第１加熱部２は、調理容器の加熱動作及び揚げ物調理や焼き物調理を行う機能を有している。温度調整部４は、第１加熱部２を所定の温度に設定する操作部である。第１数値表示部５は、温度調整部４で使用者が設定した所定の加熱出力レベル及び調理温度を示す３桁以上の数値表示を行う。なお、温度調整部４で調理温度を設定する代わりに、火力出力レベルを使用者が設定できるようにしても良い。
【００２４】
第２加熱部３は、調理容器の加熱動作を行う機能を有している。火力調整部６は、第２加熱部３を所定の加熱出力レベルに設定する操作部である。第２数値表示部７は、火力調整部６で使用者が設定した所定の加熱出力レベルを示す２桁以下の数値表示を行う。
そして、第１加熱部２および第２加熱部３は、それぞれの加熱部の出力が設定された火力出力レベルもしくは調理温度といった設定出力となるよう、後述する第１出力調整部１８および第２出力調整部２１によってそれぞれ出力が調整される。
また、第１数値表示部５および第２数値表示部７は、トッププレート上で第１加熱部２および第２加熱部３の使用者側に設けられ、左右方向の同一直線状に整列した状態で配置されている。これによって、表示部がすっきりしたデザインになるとともに、表示部を構成する部品や構造等も簡単なものになるので、省スペース化できる。
【００２５】
第１加熱領域表示部９は、第１加熱部２上に置かれた調理容器を所定の入力を持って加熱することができる領域を示す印となっており、弧形を形成している。第１加熱領域８は、第１加熱領域表示部９が形成する４つの弧形を円形で繋げる形で形成された第１加熱部２の加熱領域を示している。
【００２６】
第２加熱領域表示部１１は、第２加熱部３上に置かれた調理容器を所定の入力を持って加熱することができる領域を示す印となっており、弧形を形成している。第２加熱領域１０は、第２加熱領域表示部１１が形成する４つの弧形を円形で繋げる形で形成された第２加熱部３の加熱領域を示している。
なお、第１加熱領域表示部９および第２加熱領域表示部１１は、それぞれ第１加熱領域８および第２加熱領域１０と一致するように、もしくはその外側近傍の周囲を囲うように配置される。
【００２７】
第１加熱部２と第１加熱領域表示部９で構成される第１加熱領域８は、円の中心を共有した同心円状となっており、第１加熱部２と第１加熱領域８の中心と温度調整部４及び第１数値表示部５の中心は、本体の前面に垂直となるように同一線上に配置されている。
【００２８】
第２加熱部３と第２加熱領域表示部１１で構成される第２加熱領域１０は、円の中心を共有した同心円状となっており、第２加熱部３と第２加熱領域１０の中心と火力調整部６及び第２数値表示部７の中心は、本体前面に垂直となるように同一線上に配置されている。
【００２９】
第１接線１２は、本体の前面に垂直で第２加熱部３が位置する側の第１加熱領域８の接線を示す。
【００３０】
第２接線１３は、本体の前面に垂直で第２加熱部３が位置する側と反対側の第１加熱領域８の接線を示す。
【００３１】
図８は、本発明の実施の形態１における加熱調理器のブロック図である。
図８において、本体上面に設けられたセラミック製のトッププレート２５と、トッププレート２５下には、高周波磁界を発生させることによって、トッププレート２５上の調理容器を誘導加熱する加熱コイルを備える。
【００３２】
使用者により、第１入力部３３で所定の加熱出力で動作する加熱モードの加熱出力または所定の温度で動作する揚げ物モードまたは焼き物モードの温度設定が決められる。その後、第１入力部３３から、加熱モードでの出力調整を行う第１出力調整部１８と、揚げ物モードまたは焼き物モードでの温度調整を行う温度調整部１９から構成される第１制御部２０へ使用者が設定した条件の信号が送信される。なお、第１入力部３３は、温度調整部４によって対応させてもよい。
【００３３】
使用者により設定された加熱出力レベルまたは調理温度といった設定出力を、第１数値表示部５によってデジタル数値表示を行う。
【００３４】
赤外線センサ２４は、被加熱物２６の底面温度を検知し、常時底面温度を読み取ることで、被加熱物２６の底面温度状態の信号を第１制御部２０へ送信している。
【００３５】
一方、第２加熱部３においては、使用者により、第２入力部３４で所定の加熱出力で動作する加熱モードの加熱出力が決められ、第２入力部３４から加熱モードでの出力調整を行う第２出力調整部２１から構成される第２制御部２２へ使用者が設定した条件の信号が送信される。なお、第２入力部３４は、火力調整部６によって対応させてもよい。
【００３６】
使用者により設定された加熱出力レベルを第２数値表示部７によってデジタル数値表示を行う。
【００３７】
インバータ回路２３は、第１制御部２０及び第２制御部２２からの信号をもとに、第１加熱部２及び第２加熱部３を所定の加熱出力レベルあるいは調理温度になるよう調整を行う。
【００３８】
以上のように構成された加熱調理器について、以下その動作、作用を説明する。
【００３９】
まず、本体の上面の左右スペースを狭くすることができ、かつ、各加熱領域と各加熱領域の数値表示部との関連性を保つことができる。
【００４０】
以上のように、本実施の形態においては、前記本体の前面に垂直で第２加熱部３が位置する側の第１加熱領域８の接線である第１接線１２が第２加熱領域１０と交差し、かつ、本体の前面に垂直で第２加熱部３が位置する側と反対側の第１加熱領域８の接線である第２接線１３が第２加熱領域１０と交差しない構成とすることにより、本体の上面の左右スペースを狭くすることができ、かつ、第１加熱領域８と第２加熱領域１０に対応する第１数値表示部５と第２数値表示部７との関連性を保つことができる。
【００４１】
また、第２数値表示部７を２桁以下としているため、第２数値表示部７の左右方向の幅を短くできるので、本実施の形態１のように第１加熱領域８と第２加熱領域１０を近接させたとしても、第１数値表示部５と第２数値表示部７を同一直線状に配置しながら第２加熱領域１０と第２数値表示部との関連性を保つことができる。
なお、本実施の形態１のように、第１加熱領域表示部９と第２加熱領域表示部１１とがそれぞれ、完全な円ではなく円弧上の表示部を組み合わせて構成される場合には、少なくとも第１加熱部２の中心２７と第２加熱部３の中心２８を結ぶ直線上にそれぞれの表示が存在することで、第１加熱部２と第２加熱部３の領域が使用者によって明確に区別される。
さらに、本実施の形態    １では、第１加熱部２と第２加熱部３の二つの加熱部を有する構成について説明したが、図１のように二組の加熱部を有していても良い。この場合も、それぞれの加熱部の組み合わせが、本実施の形態のような位置関係にあれば使用者にとって使い勝手が良い。
【００４２】
また、本実施の形態においては、加熱コイルから高周波磁界を発生させ、調理容器を誘導加熱する誘導加熱方式を採用しているが、加熱コイルの代わりにガスバーナーなどの加熱部を構成する加熱調理器においても同様の効果が得られる。
【００４３】
（実施の形態２）
図２は、本発明の実施の形態２における加熱調理器の上面図である。
【００４４】
図２において、第２加熱部の中心１４は、第２加熱部３と第２加熱領域表示部１１で構成される第２加熱領域１０の中心を示す。その他の構成は、図１と同様のため、説明は省略する。
【００４５】
以上のように構成された加熱調理器について、以下その動作、作用を説明する。
【００４６】
実施の形態２に係る加熱調理器では、実施の形態１に係る加熱調理器と対比すると、第１接線１２が本体正面から見て第２加熱部３の中心より右側で第２加熱領域１０と交差する構成とする点で相違する。これによって、本体１の上面の左右スペースを本実施の形態１と比較して更に狭くすることができるので、省スペース化が可能となる。
【００４７】
以上のように、本実施の形態においては、第１接線１２が本体正面から見て第２加熱部３の中心より右側で第２加熱領域１０と交差する構成としている。これによって、本体の上面の左右スペースを更に狭くすることができるので、省スペース化が可能となる。
【００４８】
（実施の形態３）
図１および図３は、本発明の実施の形態３における加熱調理器の上面図である。
【００４９】
図３において、第３接線１５は、本体の前面に対して垂直で第１加熱領域８と交差しない側の第２加熱領域１０の接線を示す。その他の構成は、図１と同様のため、説明は省略する。また、本体の前面に対して垂直で第１加熱領域８と交差しない側の第２加熱領域１０の接線である第３接線１５と第１接線１２との間に第２数値表示部７を第２数値表示部７の全体が含まれるように配置している。
【００５０】
これによって、第２加熱領域１０と第２数値表示部７の対応関係がより明確化されるので、視認性の向上に繋がる。
【００５１】
（実施の形態４）
図４は、本発明の実施の形態４における加熱調理器の上面図である。
【００５２】
図４においての構成は、図１と同様のため、説明は省略する。
【００５３】
実施の形態４に係る加熱調理器は、実施の形態３に係る加熱調理器について特に、第１数値表示部５の端部が第２接線１３上に位置し、第２数値表示部７の端部が第３接線１５上に位置するとともに、第２加熱部３の中心が第１接線１２よりも第１加熱部２側に位置する構成としたものである。これによって、第１加熱領域８と第２加熱領域１０に対応する第１数値表示部５と第２数値表示部７の対応関係がより明確化され、操作性の向上に繋がる。
【００５４】
以上のように、本実施の形態においては、第１数値表示部５の端部が第２接線１３上に位置し、第２数値表示部７の端部が第３接線１５上に位置するとともに、第２加熱部３の中心が第１接線１２よりも第１加熱部２側に位置する構成としている。これによって、第１加熱領域８と第２加熱領域１０に対応する第１数値表示部５と第２数値表示部７の対応関係がより明確化され、操作性の向上に繋がる。
【００５５】
（実施の形態５）
図５は、本発明の実施の形態５における加熱調理器の上面図である。
図５において、加熱調理器の各部分の構成は、図１と図２と同様のため、その説明は省略する。
【００５６】
実施の形態５に係る加熱調理器では、実施の形態３及び４に係る加熱調理器について特に、第２数値表示部７の左右方向の幅は、第１接線１２と第３接線１５との間の距離よりも小さくなるように構成している点で相違する。これによって、数値表示部の小型化が可能となり視認性を損なわずに製品のコストダウンを実現することができる。
【００５７】
以上のように、本実施の形態においては、第２数値表示部７の左右方向の幅は、第１接線１２と第３接線１５との間の距離よりも小さくなるように構成している。これによって、数値表示部の小型化が可能となり視認性を損なわずに製品のコストダウンを実現することができる。
【００５８】
（実施の形態６）
図６は、本発明の実施の形態６における加熱調理器の上面図である。
図６において、加熱調理器の構成は、図５と同様のため、その説明は省略する。
【００５９】
実施の形態６に係る加熱調理器は、実施の形態１〜５に係る加熱調理器について特に、第１加熱領域８及び第２加熱領域１０は、本体の上面から見て円形とし、第２加熱領域１０の直径は、第１加熱領域８の直径よりも小さくなるように構成するとしたものである。これによって、第１加熱部２は、揚げ物調理や焼き物調理などの鍋径が大きい調理用途に対応させており、第２加熱部３は、湯沸しなどの鍋径が小さい調理用途に対応させている。これによって、使用用途を考慮した加熱領域の構成をとることができる。また、鍋径が大きい第１加熱部２に対して桁数の多い第１数値表示部５を対応させ、鍋径が小さい第２加熱部３に対して桁数の少ない第２数値表示部７を対応させている。これによって、鍋径と表示の大小相関が取れることにより、操作性や視認性を向上することができる。
【００６０】
以上のように、本実施の形態においては、第１加熱領域８及び第２加熱領域１０は、本体の上面から見て円形とし、第２加熱領域１０の直径は、第１加熱領域８の直径よりも小さくなるように構成している。これによって、第１加熱部２は、揚げ物調理や焼き物調理などの鍋径が大きい調理用途に対応させることができ、第２加熱部３は、湯沸しなどの鍋径が小さい調理用途に対応させることができる。そこで、使用用途を考慮した加熱領域の構成をとることができる。また、鍋径が大きい第１加熱部２に対して桁数の多い第１数値表示部５を対応させ、鍋径が小さい第２加熱部３に対して桁数の少ない第２数値表示部７を対応させている。これによって、鍋径と表示の大小相関が取れることにより、操作性や視認性を向上することができる。
【００６１】
（実施の形態７）
図７は、本発明の実施の形態７における加熱調理器の上面図である。
【００６２】
第１加熱部２は、調理容器の加熱動作及び揚げ物調理や焼き物調理を行う機能を有している。第１入力部３３は、第１加熱部２を所定の加熱出力及び所定の温度に設定する操作部である。また、第１数値表示部５は、第１入力部３３で使用者が設定した所定の加熱出力レベル及び調理温度を示す３桁以上のデジタル数値表示を行うセグメントから構成されている数値表示機能を有している。
【００６３】
第２加熱部３は、調理容器の加熱動作を行う機能を有している。第２入力部３４は、第２加熱部３を所定の加熱出力レベルに設定する操作部である。また、第２数値表示部７は、第２入力部３４で使用者が設定した所定の加熱出力レベルを占める２桁以下のデジタル数値表示を行うセグメントから構成されている数値表示機能を有している。
【００６４】
第１加熱領域表示部９は、第１加熱部２上に置かれた調理容器を所定の入力を持って加熱することができる領域を示す印となっており、弧形を形成している。第１加熱領域８は、第１加熱領域表示部９が形成する４つの弧形を円形で繋げる形で形成された第１加熱部２の加熱領域を示している。
【００６５】
第２加熱領域表示部１１は、第２加熱部３上に置かれた調理容器を所定の入力を持って加熱することができる領域を示す印となっており、弧形を形成している。第２加熱領域１０は、第２加熱領域表示部１１が形成する４つの弧形を円形で繋げる形で形成された第２加熱部３の加熱領域を示している。
【００６６】
第１中心線３５は、本体の前面に垂直で第１加熱部２の中心を通る線を示し、第２中心線３６は、本体の前面に垂直で第２加熱部３の中心を通る線を示す。
【００６７】
第１接線１２は、本体の前面に垂直で第２加熱部３が位置する側の第１加熱領域８の接線を示し、第２接線１３は、本体の前面に垂直で第１加熱部２が位置する側と反対側の第２加熱領域１０の接線を示す。
【００６８】
第１中心点１６は、第１数値表示部５の中心の点を示し、第２中心点１７は、第２数値表示部７の中心の点を示す。
【００６９】
図８は、本発明の実施の形態７における加熱調理器のブロック図である。
図８において、本体上面に設けられたセラミック製のトッププレート２５と、トッププレート２５下には、高周波磁界を発生させることによって、トッププレート２５上の調理容器を誘導加熱する加熱コイルを備える。
【００７０】
使用者により、第１入力部３３で所定の加熱出力で動作する加熱モードの加熱出力または所定の温度で動作する揚げ物モードまたは焼き物モードの温度設定が決められる。その後、第１入力部３３から、加熱モードでの出力調整を行う第１出力調整部１８と、揚げ物モードまたは焼き物モードでの温度調整を行う温度調整部１９から構成される第１制御部２０へ使用者が設定した条件の信号が送信される。
【００７１】
使用者により設定された加熱出力レベルまたは調理温度といった設定出力を、第１数値表示部５によってデジタル数値表示を行う。
【００７２】
赤外線センサ２４は、被加熱物２６の底面温度を検知し、常時底面温度を読み取ることで、被加熱物２６の底面温度状態の信号を第１制御部２０へ送信している。
【００７３】
一方、第２加熱部３においては、使用者により、第２入力部３４で所定の加熱出力で動作する加熱モードの加熱出力が決められ、第２入力部３４から加熱モードでの出力調整を行う第２出力調整部２１から構成される第２制御部２２へ使用者が設定した条件の信号が送信される。
【００７４】
使用者により設定された加熱出力レベルを第２数値表示部７によってデジタル数値表示を行う。
【００７５】
インバータ回路２３は、第１制御部２０及び第２制御部２２からの信号をもとに、第１加熱部２及び第２加熱部３を所定の加熱出力レベルあるいは調理温度になるよう調整を行う。
【００７６】
以上のように構成された加熱調理器について、以下その動作、作用を説明する。
【００７７】
まず、各加熱領域と各加熱領域に対応する数値表示部との関連性を保つことができる。
【００７８】
以上のように、本実施の形態においては、本体１の上面に設けられ、被加熱物２６を下方から加熱する第１加熱部２及び第２加熱部３を備え、使用者が前記第１加熱部２の温度設定及び設定出力を入力する第１入力部３３と、使用者が前記第２加熱部３の設定出力を入力する第２入力部３４と、前記第１加熱部２は前記被加熱物２６の温度を前記第１入力部３３で設定された設定温度になるように調整する温度調整部１９と、加熱出力を前記第１入力部３３で設定された前記設定出力になるように調整する第１出力調整部１８と、前記第１加熱部２と対応して前記本体の上面の手前側に設けられ前記設定温度あるいは前記設定出力を切り替えて表示する３桁以上のセグメントから構成される第１数値表示部５と、前記本体１の上面に設けられ、前記第１加熱部２で加熱可能な範囲となる第１加熱領域８を表示する第１加熱領域表示部９と、前記第２加熱部３は加熱出力を前記第２入力部３４で設定された設定出力になるように調整する第２出力調整部２１と、前記第２加熱部３と対応して前記本体１の上面の手前側に設けられ、前記設定出力を表示する２桁以下のセグメントから構成される第２数値表示部７と、前記本体１の上面に設けられ前記第２加熱部３で加熱可能な範囲となる第２加熱領域１０を表示する第２加熱領域表示部１１を備え、前記第１数値表示部５の中心となる第１中心点１６が前記本体１の前面に垂直で前記第１加熱部２の中心を通る第１中心線３５と前記本体１の前面に垂直で前記第２加熱部３が位置する側の前記第１加熱領域８の接線である第１接線１２との間に位置するとともに、前記第２数値表示部７の中心となる第２中心点１７が前記本体１の前面に垂直で前記第２加熱部３の中心を通る第２中心線３６と前記本体１の前面に垂直で前記第１加熱部２が位置する側と反対側の前記第２加熱領域１０の接線である第２接線１３との間に位置する構成としている。
【００７９】
これにより、第１加熱領域８と第１加熱領域８に対応する第１数値表示部５との位置関係、および第２加熱領域１０と第２加熱領域１０に対応する第２数値表示部７との位置関係を類似させることができる。したがって、第１加熱領域８と第１数値表示部５および第２加熱領域１０と第２数値表示部７の関連性を保つことができるので、使用者にとって視認性が向上する。
【００８０】
また、本実施の形態においては、加熱コイルから高周波磁界を発生させ、調理容器を誘導加熱する誘導加熱方式を採用しているが、これに限られず、加熱コイルの代わりに、例えば、ガスバーナーなどの加熱部を構成する加熱調理器においても同様の効果が得られる。
【００８１】
また、本実施の形態においては、図７に示す通り左前後の各加熱部及びそれらに対応する各数値表示部に対して実施例を述べたが、右前後の各加熱部及びそれらに対応する各数値表示部に対しても同様の効果が得られ、これに限定されるものではない。
【００８２】
（実施の形態８）
図９は、本発明の実施の形態８における加熱調理器の上面図である。
図９において、加熱調理器の構成は図７と同様のため、その説明は省略する。
【００８３】
以上のように構成された加熱調理器について、以下その動作、作用を説明する。
【００８４】
実施の形態８に係る加熱調理器は、実施の形態１〜７に係る加熱調理器について特に、第１数値表示部５は、第１加熱部２が設定出力で加熱動作を行う際に、第２数値表示部７に最も近いセグメント以外のセグメントで設定出力のレベルを表示するとしたものである。これによって、第１数値表示部５と第２数値表示部７におけるレベル表示をできるだけ離して表示させることができるので、各加熱領域と各加熱領域に対応する数値表示部との関連性を更に強く保つことができ、使用者の視認性が向上する。
【００８５】
以上のように、本実施の形態においては、第１数値表示部５は、第１加熱部２が設定出力で加熱動作を行う際に、第２数値表示部７に最も近いセグメント以外のセグメントで設定出力のレベルを表示する構成とすることで、第１数値表示部５と第２加熱部３が上方から平面的に見て重ならない配置となる。そこで、各加熱領域に対応した各数値表示部がより一層明確化し、視認性の向上に繋がる。
【００８６】
また、本実施の形態においては、図９に示す通り左前後の各加熱部及びそれらに対応する各数値表示部に対して実施例を述べたが、右前後の各加熱部及びそれらに対応する各数値表示部に対しても同様の効果が得られ、これに限定されるものではない。
【００８７】
（実施の形態９）
図１０は、本発明の実施の形態９における加熱調理器の上面図である。
図１０において、第３中心点２７は第１加熱部２の中心の点を示し、第４中心点２８は第２加熱部３の中心の点を示す。
第１線分２９は、第１中心点１６と第３中心点２７を結んだ線を示し、第２線分３０は、第２中心点１７と第４中心点２８を結んだ線を示す。
第１角度３１は、第１中心線３５と第１線分２９から形成される角度を示し、第２角度３２は、第２中心線３６と第２線分３０から形成される角度を示す。
【００８８】
加熱調理器のその他の構成に関しては、図７または図９と同様のため、説明は省略する。
【００８９】
以上のように構成された加熱調理器について、以下その動作、作用を説明する。
【００９０】
実施の形態９に係る加熱調理器は、実施の形態１又は７に係る加熱調理器と対比すると、第１加熱部２の中心を示す第３中心点２７と第２加熱部３の中心を示す第４中心点２８を有し、
第１中心点１６と第３中心点２７を結ぶ第１線分２９と第１中心線３５から形成される第１角度３１と、第２中心点１７と第４中心点２８を結ぶ第２線分３０と第２中心線３６から形成される第２角度３２が略同一となる第１数値表示部５のセグメントで設定出力のレベルを表示する点で相違する。これによって、各加熱領域と各加熱領域に対応する数値表示部との関連性を更に強く保つことができる。
【００９１】
以上のように、本実施の形態においては、第１加熱部２の中心を示す第３中心点２７と第２加熱部３の中心を示す第４中心点２８を有し、第１中心点１６と第３中心点２７を結ぶ第１線分２９と第１中心線１２から形成される第１角度３１と、第２中心点１７と前記第４中心点２８を結ぶ第２線分３０と第２中心線１３から形成される第２角度３２が略同一となる第１数値表示部５のセグメントで設定出力のレベルを表示する構成としている。これによって、各加熱領域と各加熱領域に対応する数値表示部が略同一の角度を持って配置しているので、各加熱領域に対応した各数値表示部がより一層明確化し、視認性の向上に繋がる。
【００９２】
また、本実施の形態において略同一の角度を明記しているが、略同一とは第１角度と第２角度の角度差が５度以内であれば、視覚的に同じ位置で各加熱領域と各加熱領域に対応した各数値表示部が配置されているとみなす。
【００９３】
なお、本実施の形態においては、各数値表示部のセグメントの外枠をトッププレートに印刷しているが、外枠を印刷せずデジタル数値表示のみを加熱動作時に表示し、加熱非動作時には非表示にすることで、加熱調理器を上方から見て平面的に捉えた際に、各加熱領域と各加熱領域に対応した各数値表示部の位置関係がより一層明確化するという効果も得られ、これに限定されるものではない。
【産業上の利用可能性】
【００９４】
以上のように、本発明に係る加熱調理器は、本体の上面の左右スペースを狭くすることができ、かつ、第１加熱領域８と第２加熱領域１０に対応する第１数値表示部５と第２数値表示部７との関連性を保つことができるので、組み込み式や置き台の上で使用する据え置き型、又はガスコンロ等で、家庭用又は業務用の加熱調理器の用途に有効である。【００９５】
また、本発明に係る加熱調理器は、第１加熱領域８と第２加熱領域１０に対応する第１数値表示部５と第２数値表示部７との関連性を保つことができるので、本体の上面の左右スペースを狭くすることが可能となり、組み込み式や置き台の上で使用する据え置き型、又はガスコンロ等で、家庭用又は業務用の加熱調理器に有効である。
【符号の説明】
【００９６】
１  本体
２  第１加熱部
３  第２加熱部
４  温度調整部
５  第１数値表示部
６  火力調整部
７  第２数値表示部
８  第１加熱領域
９  第１加熱領域表示部
１０  第２加熱領域
１１  第２加熱領域表示部
１２  第１接線
１３  第２接線
１４  第２加熱部の中心
１５  第３接線
１６  第１中心点
１７  第２中心点
１８  第１出力調整部
１９  温度調整部
２０  第１制御部
２１  第２出力調整部
２２  第２制御部
２３  インバータ回路
２４  赤外線センサ
２５  トッププレート
２６  被加熱物
２７  第３中心点
２８  第４中心点
２９  第１線分
３０  第２線分
３１  第１角度
３２  第２角度
３３  第１入力部
３４  第２入力部
３５  第１中心線
３６  第２中心線
【図１】
2012137518.tif 000003
【図２】
2012137518.tif 000004
【図３】
2012137518.tif 000005
【図４】
2012137518.tif 000006
【図５】
2012137518.tif 000007
【図６】
2012137518.tif 000008
【図７】
2012137518.tif 000009
【図８】
2012137518.tif 000010
【図９】
2012137518.tif 000011
【図１０】
2012137518.tif 000012
【図１１】
2012137518.tif 000013
【手続補正書】
【提出日】平成25年9月24日(2013.9.24)
【手続補正１】
【補正対象書類名】明細書
【補正対象項目名】全文
【補正方法】変更
【補正の内容】
【発明の詳細な説明】
【技術分野】
【０００１】
本発明は、一般キッチンや業務用などに用いられる加熱調理器に関するものである。
【背景技術】
【０００２】
従来、この種の加熱調理器は、加熱出力などを操作する操作表示部と加熱部の各中心を通るように本体に垂直な線で配置される構成となっている（特許文献１参照）。
【０００３】
図１１は、特許文献１に記載された従来の加熱調理器の外観図を示すものである。左操作表示部４４と右操作表示部４５と後操作表示部４６は、各々の左加熱部４１と右加熱部４２と後加熱部４３の加熱設定状態を示す火力表示バーを備えている。左中心線４８は、左加熱部４１と左操作表示部４４の各中心を通る線である。右中心線４９は、右加熱部４２と右操作表示部４５の各中心を通る線である。後中心線５０は、後加熱部４３と後操作表示部４６の各中心を通る線である。各加熱部と各操作表示部が各中心を通る同一線上に配置している。
【先行技術文献】
【特許文献】
【０００４】
【特許文献１】特開２００９−１３４９１９号公報
【発明の概要】
【発明が解決しようとする課題】
【０００５】
しかしながら、前記従来の構成では、加熱設定状態を火力表示バーで示し、加熱部の中心と操作表示部の中心を本体に垂直な線を通るように配置しているので、本体トッププレートに対してスペースを有効利用していないという課題を有していた。
【０００６】
本発明は、前記従来の課題を解決するもので、加熱設定状態を火力表示バーではなく数値表示部を用い、さらには数値表示部の桁数を小さくすることで加熱部の加熱領域が重なっても前後の加熱部と数値表示部が対応関係を保持することができる本体トッププレートの左右スペースを狭くした加熱調理器を提供することを目的とする。
【課題を解決するための手段】
【０００７】
前記従来の課題を解決するために、本発明の加熱調理器は、
本体の上面に設けられ、被加熱物を下方から加熱する第１加熱部及び第２加熱部を備え、
前記第１加熱部は、
加熱出力を設定出力になるように調整する第１出力調整部と、
前記第１加熱部と対応して前記本体の上面の手前側に設けられ、前記設定温度を表示する３桁以上の第１数値表示部と、
前記本体の上面に設けられ、前記第１加熱部で加熱可能な範囲となる第１加熱領域を表示する第１加熱領域表示部と、
を備え、
前記第２加熱部は、
加熱出力を設定出力になるように調整する第２出力調整部と、
前記第２加熱部と対応して前記本体の上面の手前側に設けられ、前記設定出力を表示する２桁以下の第２数値表示部と、
前記本体の上面に設けられ第２加熱部で加熱可能な範囲となる第２加熱領域を表示する第２加熱領域表示部と、
を備え、
前記本体の前面に垂直で前記第２加熱部が位置する側の前記第１加熱領域の接線である第１接線が前記第２加熱領域と交差し、かつ、前記本体の前面に垂直で前記第２加熱部が位置する側と反対側の前記第１加熱領域の接線である第２接線が前記第２加熱領域と交差しない構成としたものである。
【０００８】
これによって、本体トッププレートの左右スペースを狭くすることができ、かつ、各加熱領域と各数値表示部の対応表示が可能であり、使用者にとって操作性や視認性を損なうことなく省スペース化が可能な加熱調理器を提供することができる。
【発明の効果】
【０００９】
本発明の加熱調理器は、本体トッププレートの左右スペースを狭くすることができ、かつ、使用者にとって操作性や視認性を損なうことなく従来までの加熱調理器と同様の扱いが可能である。
【図面の簡単な説明】
【００１０】
【図１】本発明の実施の形態１における加熱調理器の上面図
【図２】本発明の実施の形態２における加熱調理器の上面図
【図３】本発明の実施の形態３における加熱調理器の上面図
【図４】本発明の実施の形態４における加熱調理器の上面図
【図５】本発明の実施の形態５における加熱調理器の上面図
【図６】本発明の実施の形態６における加熱調理器の上面図
【図７】本発明の実施の形態７における加熱調理器の上面図
【図８】本発明の実施の形態１及び７における加熱調理器のブロック図
【図９】本発明の実施の形態８における加熱調理器の上面図
【図１０】本発明の実施の形態９における加熱調理器の上面図
【図１１】従来の加熱調理器の外観図
【発明を実施するための形態】
【００１１】
第１の発明は、
本体の上面に設けられ、被加熱物を下方から加熱する第１加熱部及び第２加熱部を備え、
前記第１加熱部は、
加熱出力を設定出力になるように調整する第１出力調整部と、
前記第１加熱部と対応して前記本体の上面の手前側に設けられ前記設定温度を表示する３桁以上の第１数値表示部と、
前記本体の上面に設けられ、前記第１加熱部で加熱可能な範囲となる第１加熱領域を表示する第１加熱領域表示部と、
を備え、
前記第２加熱部は、
加熱出力を設定出力になるように調整する第２出力調整部と、
前記第２加熱部と対応して前記本体の上面の手前側に設けられ、前記設定出力を表示する２桁以下の第２数値表示部と、
前記本体の上面に設けられ第２加熱部で加熱可能な範囲となる第２加熱領域を表示する第２加熱領域表示部と、
を備え、
前記本体の前面に垂直で前記第２加熱部が位置する側の前記第１加熱領域の接線である第１接線が前記第２加熱領域と交差し、かつ、前記本体の前面に垂直で前記第２加熱部が位置する側と反対側の前記第１加熱領域の接線である第２接線が前記第２加熱領域と交差しない構成とすることで、本体の上面の左右スペースを狭くすることができ、かつ、第１加熱領域と第２加熱領域に対応する第１数値表示部と第２数値表示部との関連性を保つことができる。
【００１２】
第２の発明は、特に、第１の発明の加熱調理器において、前記第１接線が前記本体正面から見て前記第２加熱部の中心より右側で前記第２加熱領域と交差する構成とするものである。これによって、本体の上面の左右スペースを更に狭くすることができるので、省スペース化が可能となる。
【００１３】
第３の発明は、特に、第１または第２の発明の加熱調理器において、前記本体の前面に対して垂直で前記第１加熱領域と交差しない側の前記第２加熱領域の接線である第３接線と前記第１接線との間に前記第２数値表示部を前記第２数値表示部の全体が含まれるように配置する構成とするものである。これによって、第２加熱領域と第２数値表示部の対応関係が明確化されるので、視認性の向上に繋がる。
【００１４】
第４の発明は、特に、第３の発明の加熱調理器において、前記第１数値表示部の端部が前記第２接線上に位置し、前記第２数値表示部の端部が前記第３接線上に位置するとともに、前記第２加熱部の中心が前記第１接線よりも前記第１加熱部側に位置する構成とするものである。これによって、第１加熱領域と第２加熱領域に対応する第１数値表示部と第２数値表示部の対応関係がより明確化され、操作性の向上に繋がる。
【００１５】
第５の発明は、特に、第３または第４の発明の加熱調理器において、前記第２数値表示部の左右方向の幅は、前記第１接線と前記第３接線との間の距離よりも小さくなるように構成するものである。これによって、数値表示部の小型化が可能となり視認性を損なわずに製品のコストダウンを実現することができる。
【００１６】
第６の発明は、特に、第１〜５のいずれか１つの発明の加熱調理器において、前記第１加熱領域及び前記第２加熱領域は、前記本体の上面から見て円形とし、前記第２加熱領域の直径は前記第１加熱領域の直径よりも小さくなるように構成するものである。これによって、第１加熱部は揚げ物調理や焼き物調理などの鍋径が大きい調理用途に対応させ、第２加熱部は湯沸しなどの鍋径が小さい調理用途に対応させることができる。そこで、使用用途を考慮した加熱領域の構成をとることができる。また、鍋径が大きい第１加熱部に対して桁数の多い第１数値表示部を対応させ、鍋径が小さい第２加熱部に対して桁数の少ない第２数値表示部を対応させている。これによって、鍋径と表示の大小相関が取れることにより、操作性や視認性を向上することができる。
【００１７】
第７の発明は、特に第１の発明の加熱調理器において、前記第１数値表示部の中心となる第１中心点が前記本体の前面に垂直で前記第１加熱部の中心を通る第１中心線と前記第１接線との間に位置するとともに、
前記第２数値表示部の中心となる第２中心点が前記本体の前面に垂直で前記第２加熱部の中心を通る第２中心線と前記本体の前面に対して垂直で前記第１加熱領域と交差しない側の前記第２加熱領域の接線である第３接線との間に位置する構成としたものである。
これによって、第１加熱領域と第２加熱領域に対応する第１数値表示部と第２数値表示部との関連性を保つことができる。
【００１８】
第８の発明は、特に第１又は第７の発明の加熱調理器において、前記第１数値表示部は、前記第１加熱部が前記設定出力で加熱動作を行う際に、前記第２数値表示部に最も近いセグメント以外のセグメントで前記設定出力のレベルを表示するようにしたものである。
これによって、第２加熱部と第１数値表示部の視覚的な重なりを低減することができるので、より一層、第１加熱領域と第２加熱領域に対応する第１数値表示部と第２数値表示部との関連性を保つことができる。
【００１９】
第９の発明は、特に第１又は第７の発明の加熱調理器において、前記第１加熱部の中心を示す第３中心点と前記第２加熱部の中心を示す第４中心点を有し、
前記第１中心点と前記第３中心点を結ぶ第１線分と前記第１中心線から形成される第１角度と、前記第２中心点と前記第４中心点を結ぶ第２線分と前記第２中心線から形成される第２角度が略同一となる前記第１数値表示部のセグメントで前記設定出力のレベルを表示するようにしたものである。
これによって、各加熱部とそれに対応する各数値表示部の関連性を更に強めることができる。
【００２０】
以下、本発明の実施の形態について、図面を参照しながら説明する。なお、この実施の形態によって本発明が限定されるものではない。
【００２１】
（実施の形態１）
図１は、本発明の実施の形態１における加熱調理器の上面図である。
【００２２】
図１において、本体上面に設けられたセラミック製のトッププレートと、トッププレート下には、高周波磁界を発生させることによって、トッププレート上の調理容器を誘導加熱する加熱コイルを備える。
【００２３】
第１加熱部２は、調理容器の加熱動作及び揚げ物調理や焼き物調理を行う機能を有している。温度調整部４は、第１加熱部２を所定の温度に設定する操作部である。第１数値表示部５は、温度調整部４で使用者が設定した所定の加熱出力レベル及び調理温度を示す３桁以上の数値表示を行う。なお、温度調整部４で調理温度を設定する代わりに、火力出力レベルを使用者が設定できるようにしても良い。
【００２４】
第２加熱部３は、調理容器の加熱動作を行う機能を有している。火力調整部６は、第２加熱部３を所定の加熱出力レベルに設定する操作部である。第２数値表示部７は、火力調整部６で使用者が設定した所定の加熱出力レベルを示す２桁以下の数値表示を行う。
そして、第１加熱部２および第２加熱部３は、それぞれの加熱部の出力が設定された火力出力レベルもしくは調理温度といった設定出力となるよう、後述する第１出力調整部１８および第２出力調整部２１によってそれぞれ出力が調整される。
また、第１数値表示部５および第２数値表示部７は、トッププレート上で第１加熱部２および第２加熱部３の使用者側に設けられ、左右方向の同一直線状に整列した状態で配置されている。これによって、表示部がすっきりしたデザインになるとともに、表示部を構成する部品や構造等も簡単なものになるので、省スペース化できる。
【００２５】
第１加熱領域表示部９は、第１加熱部２上に置かれた調理容器を所定の入力を持って加熱することができる領域を示す印となっており、弧形を形成している。第１加熱領域８は、第１加熱領域表示部９が形成する４つの弧形を円形で繋げる形で形成された第１加熱部２の加熱領域を示している。
【００２６】
第２加熱領域表示部１１は、第２加熱部３上に置かれた調理容器を所定の入力を持って加熱することができる領域を示す印となっており、弧形を形成している。第２加熱領域１０は、第２加熱領域表示部１１が形成する４つの弧形を円形で繋げる形で形成された第２加熱部３の加熱領域を示している。
なお、第１加熱領域表示部９および第２加熱領域表示部１１は、それぞれ第１加熱領域８および第２加熱領域１０と一致するように、もしくはその外側近傍の周囲を囲うように配置される。
【００２７】
第１加熱部２と第１加熱領域表示部９で構成される第１加熱領域８は、円の中心を共有した同心円状となっており、第１加熱部２と第１加熱領域８の中心と温度調整部４及び第１数値表示部５の中心は、本体の前面に垂直となるように同一線上に配置されている。
【００２８】
第２加熱部３と第２加熱領域表示部１１で構成される第２加熱領域１０は、円の中心を共有した同心円状となっており、第２加熱部３と第２加熱領域１０の中心と火力調整部６及び第２数値表示部７の中心は、本体前面に垂直となるように同一線上に配置されている。
【００２９】
第１接線１２は、本体の前面に垂直で第２加熱部３が位置する側の第１加熱領域８の接線を示す。
【００３０】
第２接線１３は、本体の前面に垂直で第２加熱部３が位置する側と反対側の第１加熱領域８の接線を示す。
【００３１】
図８は、本発明の実施の形態１における加熱調理器のブロック図である。
図８において、本体上面に設けられたセラミック製のトッププレート２５と、トッププレート２５下には、高周波磁界を発生させることによって、トッププレート２５上の調理容器を誘導加熱する加熱コイルを備える。
【００３２】
使用者により、第１入力部３３で所定の加熱出力で動作する加熱モードの加熱出力または所定の温度で動作する揚げ物モードまたは焼き物モードの温度設定が決められる。その後、第１入力部３３から、加熱モードでの出力調整を行う第１出力調整部１８と、揚げ物モードまたは焼き物モードでの温度調整を行う温度調整部１９から構成される第１制御部２０へ使用者が設定した条件の信号が送信される。なお、第１入力部３３は、温度調整部４によって対応させてもよい。
【００３３】
使用者により設定された加熱出力レベルまたは調理温度といった設定出力を、第１数値表示部５によってデジタル数値表示を行う。
【００３４】
赤外線センサ２４は、被加熱物２６の底面温度を検知し、常時底面温度を読み取ることで、被加熱物２６の底面温度状態の信号を第１制御部２０へ送信している。
【００３５】
一方、第２加熱部３においては、使用者により、第２入力部３４で所定の加熱出力で動作する加熱モードの加熱出力が決められ、第２入力部３４から加熱モードでの出力調整を行う第２出力調整部２１から構成される第２制御部２２へ使用者が設定した条件の信号が送信される。なお、第２入力部３４は、火力調整部６によって対応させてもよい。
【００３６】
使用者により設定された加熱出力レベルを第２数値表示部７によってデジタル数値表示を行う。
【００３７】
インバータ回路２３は、第１制御部２０及び第２制御部２２からの信号をもとに、第１加熱部２及び第２加熱部３を所定の加熱出力レベルあるいは調理温度になるよう調整を行う。
【００３８】
以上のように構成された加熱調理器について、以下その動作、作用を説明する。
【００３９】
まず、本体の上面の左右スペースを狭くすることができ、かつ、各加熱領域と各加熱領域の数値表示部との関連性を保つことができる。
【００４０】
以上のように、本実施の形態においては、前記本体の前面に垂直で第２加熱部３が位置する側の第１加熱領域８の接線である第１接線１２が第２加熱領域１０と交差し、かつ、本体の前面に垂直で第２加熱部３が位置する側と反対側の第１加熱領域８の接線である第２接線１３が第２加熱領域１０と交差しない構成とすることにより、本体の上面の左右スペースを狭くすることができ、かつ、第１加熱領域８と第２加熱領域１０に対応する第１数値表示部５と第２数値表示部７との関連性を保つことができる。
【００４１】
また、第２数値表示部７を２桁以下としているため、第２数値表示部７の左右方向の幅を短くできるので、本実施の形態１のように第１加熱領域８と第２加熱領域１０を近接させたとしても、第１数値表示部５と第２数値表示部７を同一直線状に配置しながら第２加熱領域１０と第２数値表示部との関連性を保つことができる。
なお、本実施の形態１のように、第１加熱領域表示部９と第２加熱領域表示部１１とがそれぞれ、完全な円ではなく円弧上の表示部を組み合わせて構成される場合には、少なくとも第１加熱部２の中心２７と第２加熱部３の中心２８を結ぶ直線上にそれぞれの表示が存在することで、第１加熱部２と第２加熱部３の領域が使用者によって明確に区別される。
さらに、本実施の形態１では、第１加熱部２と第２加熱部３の二つの加熱部を有する構成について説明したが、図１のように二組の加熱部を有していても良い。この場合も、それぞれの加熱部の組み合わせが、本実施の形態のような位置関係にあれば使用者にとって使い勝手が良い。
【００４２】
また、本実施の形態においては、加熱コイルから高周波磁界を発生させ、調理容器を誘導加熱する誘導加熱方式を採用しているが、加熱コイルの代わりにガスバーナーなどの加熱部を構成する加熱調理器においても同様の効果が得られる。
【００４３】
（実施の形態２）
図２は、本発明の実施の形態２における加熱調理器の上面図である。
【００４４】
図２において、第２加熱部の中心１４は、第２加熱部３と第２加熱領域表示部１１で構成される第２加熱領域１０の中心を示す。その他の構成は、図１と同様のため、説明は省略する。
【００４５】
以上のように構成された加熱調理器について、以下その動作、作用を説明する。
【００４６】
実施の形態２に係る加熱調理器では、実施の形態１に係る加熱調理器と対比すると、第１接線１２が本体正面から見て第２加熱部３の中心より右側で第２加熱領域１０と交差する構成とする点で相違する。これによって、本体１の上面の左右スペースを本実施の形態１と比較して更に狭くすることができるので、省スペース化が可能となる。
【００４７】
以上のように、本実施の形態においては、第１接線１２が本体正面から見て第２加熱部３の中心より右側で第２加熱領域１０と交差する構成としている。これによって、本体の上面の左右スペースを更に狭くすることができるので、省スペース化が可能となる。
【００４８】
（実施の形態３）
図１および図３は、本発明の実施の形態３における加熱調理器の上面図である。
【００４９】
図３において、第３接線１５は、本体の前面に対して垂直で第１加熱領域８と交差しない側の第２加熱領域１０の接線を示す。その他の構成は、図１と同様のため、説明は省略する。また、本体の前面に対して垂直で第１加熱領域８と交差しない側の第２加熱領域１０の接線である第３接線１５と第１接線１２との間に第２数値表示部７を第２数値表示部７の全体が含まれるように配置している。
【００５０】
これによって、第２加熱領域１０と第２数値表示部７の対応関係がより明確化されるので、視認性の向上に繋がる。
【００５１】
（実施の形態４）
図４は、本発明の実施の形態４における加熱調理器の上面図である。
【００５２】
図４においての構成は、図１と同様のため、説明は省略する。
【００５３】
実施の形態４に係る加熱調理器は、実施の形態３に係る加熱調理器について特に、第１数値表示部５の端部が第２接線１３上に位置し、第２数値表示部７の端部が第３接線１５上に位置するとともに、第２加熱部３の中心が第１接線１２よりも第１加熱部２側に位置する構成としたものである。これによって、第１加熱領域８と第２加熱領域１０に対応する第１数値表示部５と第２数値表示部７の対応関係がより明確化され、操作性の向上に繋がる。
【００５４】
以上のように、本実施の形態においては、第１数値表示部５の端部が第２接線１３上に位置し、第２数値表示部７の端部が第３接線１５上に位置するとともに、第２加熱部３の中心が第１接線１２よりも第１加熱部２側に位置する構成としている。これによって、第１加熱領域８と第２加熱領域１０に対応する第１数値表示部５と第２数値表示部７の対応関係がより明確化され、操作性の向上に繋がる。
【００５５】
（実施の形態５）
図５は、本発明の実施の形態５における加熱調理器の上面図である。
図５において、加熱調理器の各部分の構成は、図１と図２と同様のため、その説明は省略する。
【００５６】
実施の形態５に係る加熱調理器では、実施の形態３及び４に係る加熱調理器について特に、第２数値表示部７の左右方向の幅は、第１接線１２と第３接線１５との間の距離よりも小さくなるように構成している点で相違する。これによって、数値表示部の小型化が可能となり視認性を損なわずに製品のコストダウンを実現することができる。
【００５７】
以上のように、本実施の形態においては、第２数値表示部７の左右方向の幅は、第１接線１２と第３接線１５との間の距離よりも小さくなるように構成している。これによって、数値表示部の小型化が可能となり視認性を損なわずに製品のコストダウンを実現することができる。
【００５８】
（実施の形態６）
図６は、本発明の実施の形態６における加熱調理器の上面図である。
図６において、加熱調理器の構成は、図５と同様のため、その説明は省略する。
【００５９】
実施の形態６に係る加熱調理器は、実施の形態１〜５に係る加熱調理器について特に、第１加熱領域８及び第２加熱領域１０は、本体の上面から見て円形とし、第２加熱領域１０の直径は、第１加熱領域８の直径よりも小さくなるように構成するとしたものである。これによって、第１加熱部２は、揚げ物調理や焼き物調理などの鍋径が大きい調理用途に対応させており、第２加熱部３は、湯沸しなどの鍋径が小さい調理用途に対応させている。これによって、使用用途を考慮した加熱領域の構成をとることができる。また、鍋径が大きい第１加熱部２に対して桁数の多い第１数値表示部５を対応させ、鍋径が小さい第２加熱部３に対して桁数の少ない第２数値表示部７を対応させている。これによって、鍋径と表示の大小相関が取れることにより、操作性や視認性を向上することができる。
【００６０】
以上のように、本実施の形態においては、第１加熱領域８及び第２加熱領域１０は、本体の上面から見て円形とし、第２加熱領域１０の直径は、第１加熱領域８の直径よりも小さくなるように構成している。これによって、第１加熱部２は、揚げ物調理や焼き物調理などの鍋径が大きい調理用途に対応させることができ、第２加熱部３は、湯沸しなどの鍋径が小さい調理用途に対応させることができる。そこで、使用用途を考慮した加熱領域の構成をとることができる。また、鍋径が大きい第１加熱部２に対して桁数の多い第１数値表示部５を対応させ、鍋径が小さい第２加熱部３に対して桁数の少ない第２数値表示部７を対応させている。これによって、鍋径と表示の大小相関が取れることにより、操作性や視認性を向上することができる。
【００６１】
（実施の形態７）
図７は、本発明の実施の形態７における加熱調理器の上面図である。
【００６２】
第１加熱部２は、調理容器の加熱動作及び揚げ物調理や焼き物調理を行う機能を有している。第１入力部３３は、第１加熱部２を所定の加熱出力及び所定の温度に設定する操作部である。また、第１数値表示部５は、第１入力部３３で使用者が設定した所定の加熱出力レベル及び調理温度を示す３桁以上のデジタル数値表示を行うセグメントから構成されている数値表示機能を有している。
【００６３】
第２加熱部３は、調理容器の加熱動作を行う機能を有している。第２入力部３４は、第２加熱部３を所定の加熱出力レベルに設定する操作部である。また、第２数値表示部７は、第２入力部３４で使用者が設定した所定の加熱出力レベルを占める２桁以下のデジタル数値表示を行うセグメントから構成されている数値表示機能を有している。
【００６４】
第１加熱領域表示部９は、第１加熱部２上に置かれた調理容器を所定の入力を持って加熱することができる領域を示す印となっており、弧形を形成している。第１加熱領域８は、第１加熱領域表示部９が形成する４つの弧形を円形で繋げる形で形成された第１加熱部２の加熱領域を示している。
【００６５】
第２加熱領域表示部１１は、第２加熱部３上に置かれた調理容器を所定の入力を持って加熱することができる領域を示す印となっており、弧形を形成している。第２加熱領域１０は、第２加熱領域表示部１１が形成する４つの弧形を円形で繋げる形で形成された第２加熱部３の加熱領域を示している。
【００６６】
第１中心線３５は、本体の前面に垂直で第１加熱部２の中心を通る線を示し、第２中心線３６は、本体の前面に垂直で第２加熱部３の中心を通る線を示す。
【００６７】
第１接線１２は、本体の前面に垂直で第２加熱部３が位置する側の第１加熱領域８の接線を示し、第２接線１３は、本体の前面に垂直で第１加熱部２が位置する側と反対側の第２加熱領域１０の接線を示す。
【００６８】
第１中心点１６は、第１数値表示部５の中心の点を示し、第２中心点１７は、第２数値表示部７の中心の点を示す。
【００６９】
図８は、本発明の実施の形態７における加熱調理器のブロック図である。
図８において、本体上面に設けられたセラミック製のトッププレート２５と、トッププレート２５下には、高周波磁界を発生させることによって、トッププレート２５上の調理容器を誘導加熱する加熱コイルを備える。
【００７０】
使用者により、第１入力部３３で所定の加熱出力で動作する加熱モードの加熱出力または所定の温度で動作する揚げ物モードまたは焼き物モードの温度設定が決められる。その後、第１入力部３３から、加熱モードでの出力調整を行う第１出力調整部１８と、揚げ物モードまたは焼き物モードでの温度調整を行う温度調整部１９から構成される第１制御部２０へ使用者が設定した条件の信号が送信される。
【００７１】
使用者により設定された加熱出力レベルまたは調理温度といった設定出力を、第１数値表示部５によってデジタル数値表示を行う。
【００７２】
赤外線センサ２４は、被加熱物２６の底面温度を検知し、常時底面温度を読み取ることで、被加熱物２６の底面温度状態の信号を第１制御部２０へ送信している。
【００７３】
一方、第２加熱部３においては、使用者により、第２入力部３４で所定の加熱出力で動作する加熱モードの加熱出力が決められ、第２入力部３４から加熱モードでの出力調整を行う第２出力調整部２１から構成される第２制御部２２へ使用者が設定した条件の信号が送信される。
【００７４】
使用者により設定された加熱出力レベルを第２数値表示部７によってデジタル数値表示を行う。
【００７５】
インバータ回路２３は、第１制御部２０及び第２制御部２２からの信号をもとに、第１加熱部２及び第２加熱部３を所定の加熱出力レベルあるいは調理温度になるよう調整を行う。
【００７６】
以上のように構成された加熱調理器について、以下その動作、作用を説明する。
【００７７】
まず、各加熱領域と各加熱領域に対応する数値表示部との関連性を保つことができる。
【００７８】
以上のように、本実施の形態においては、本体１の上面に設けられ、被加熱物２６を下方から加熱する第１加熱部２及び第２加熱部３を備え、使用者が前記第１加熱部２の温度設定及び設定出力を入力する第１入力部３３と、使用者が前記第２加熱部３の設定出力を入力する第２入力部３４と、前記第１加熱部２は前記被加熱物２６の温度を前記第１入力部３３で設定された設定温度になるように調整する温度調整部１９と、加熱出力を前記第１入力部３３で設定された前記設定出力になるように調整する第１出力調整部１８と、前記第１加熱部２と対応して前記本体の上面の手前側に設けられ前記設定温度あるいは前記設定出力を切り替えて表示する３桁以上のセグメントから構成される第１数値表示部５と、前記本体１の上面に設けられ、前記第１加熱部２で加熱可能な範囲となる第１加熱領域８を表示する第１加熱領域表示部９と、前記第２加熱部３は加熱出力を前記第２入力部３４で設定された設定出力になるように調整する第２出力調整部２１と、前記第２加熱部３と対応して前記本体１の上面の手前側に設けられ、前記設定出力を表示する２桁以下のセグメントから構成される第２数値表示部７と、前記本体１の上面に設けられ前記第２加熱部３で加熱可能な範囲となる第２加熱領域１０を表示する第２加熱領域表示部１１を備え、前記第１数値表示部５の中心となる第１中心点１６が前記本体１の前面に垂直で前記第１加熱部２の中心を通る第１中心線３５と前記本体１の前面に垂直で前記第２加熱部３が位置する側の前記第１加熱領域８の接線である第１接線１２との間に位置するとともに、前記第２数値表示部７の中心となる第２中心点１７が前記本体１の前面に垂直で前記第２加熱部３の中心を通る第２中心線３６と前記本体１の前面に垂直で前記第１加熱部２が位置する側と反対側の前記第２加熱領域１０の接線である第２接線１３との間に位置する構成としている。
【００７９】
これにより、第１加熱領域８と第１加熱領域８に対応する第１数値表示部５との位置関係、および第２加熱領域１０と第２加熱領域１０に対応する第２数値表示部７との位置関係を類似させることができる。したがって、第１加熱領域８と第１数値表示部５および第２加熱領域１０と第２数値表示部７の関連性を保つことができるので、使用者にとって視認性が向上する。
【００８０】
また、本実施の形態においては、加熱コイルから高周波磁界を発生させ、調理容器を誘導加熱する誘導加熱方式を採用しているが、これに限られず、加熱コイルの代わりに、例えば、ガスバーナーなどの加熱部を構成する加熱調理器においても同様の効果が得られる。
【００８１】
また、本実施の形態においては、図７に示す通り左前後の各加熱部及びそれらに対応する各数値表示部に対して実施例を述べたが、右前後の各加熱部及びそれらに対応する各数値表示部に対しても同様の効果が得られ、これに限定されるものではない。
【００８２】
（実施の形態８）
図９は、本発明の実施の形態８における加熱調理器の上面図である。
図９において、加熱調理器の構成は図７と同様のため、その説明は省略する。
【００８３】
以上のように構成された加熱調理器について、以下その動作、作用を説明する。
【００８４】
実施の形態８に係る加熱調理器は、実施の形態１〜７に係る加熱調理器について特に、第１数値表示部５は、第１加熱部２が設定出力で加熱動作を行う際に、第２数値表示部７に最も近いセグメント以外のセグメントで設定出力のレベルを表示するとしたものである。これによって、第１数値表示部５と第２数値表示部７におけるレベル表示をできるだけ離して表示させることができるので、各加熱領域と各加熱領域に対応する数値表示部との関連性を更に強く保つことができ、使用者の視認性が向上する。
【００８５】
以上のように、本実施の形態においては、第１数値表示部５は、第１加熱部２が設定出力で加熱動作を行う際に、第２数値表示部７に最も近いセグメント以外のセグメントで設定出力のレベルを表示する構成とすることで、第１数値表示部５と第２加熱部３が上方から平面的に見て重ならない配置となる。そこで、各加熱領域に対応した各数値表示部がより一層明確化し、視認性の向上に繋がる。
【００８６】
また、本実施の形態においては、図９に示す通り左前後の各加熱部及びそれらに対応する各数値表示部に対して実施例を述べたが、右前後の各加熱部及びそれらに対応する各数値表示部に対しても同様の効果が得られ、これに限定されるものではない。
【００８７】
（実施の形態９）
図１０は、本発明の実施の形態９における加熱調理器の上面図である。
図１０において、第３中心点２７は第１加熱部２の中心の点を示し、第４中心点２８は第２加熱部３の中心の点を示す。
第１線分２９は、第１中心点１６と第３中心点２７を結んだ線を示し、第２線分３０は、第２中心点１７と第４中心点２８を結んだ線を示す。
第１角度３１は、第１中心線３５と第１線分２９から形成される角度を示し、第２角度３２は、第２中心線３６と第２線分３０から形成される角度を示す。
【００８８】
加熱調理器のその他の構成に関しては、図７または図９と同様のため、説明は省略する。
【００８９】
以上のように構成された加熱調理器について、以下その動作、作用を説明する。
【００９０】
実施の形態９に係る加熱調理器は、実施の形態１又は７に係る加熱調理器と対比すると、第１加熱部２の中心を示す第３中心点２７と第２加熱部３の中心を示す第４中心点２８を有し、
第１中心点１６と第３中心点２７を結ぶ第１線分２９と第１中心線３５から形成される第１角度３１と、第２中心点１７と第４中心点２８を結ぶ第２線分３０と第２中心線３６から形成される第２角度３２が略同一となる第１数値表示部５のセグメントで設定出力のレベルを表示する点で相違する。これによって、各加熱領域と各加熱領域に対応する数値表示部との関連性を更に強く保つことができる。
【００９１】
以上のように、本実施の形態においては、第１加熱部２の中心を示す第３中心点２７と第２加熱部３の中心を示す第４中心点２８を有し、第１中心点１６と第３中心点２７を結ぶ第１線分２９と第１中心線１２から形成される第１角度３１と、第２中心点１７と前記第４中心点２８を結ぶ第２線分３０と第２中心線１３から形成される第２角度３２が略同一となる第１数値表示部５のセグメントで設定出力のレベルを表示する構成としている。これによって、各加熱領域と各加熱領域に対応する数値表示部が略同一の角度を持って配置しているので、各加熱領域に対応した各数値表示部がより一層明確化し、視認性の向上に繋がる。
【００９２】
また、本実施の形態において略同一の角度を明記しているが、略同一とは第１角度と第２角度の角度差が５度以内であれば、視覚的に同じ位置で各加熱領域と各加熱領域に対応した各数値表示部が配置されているとみなす。
【００９３】
なお、本実施の形態においては、各数値表示部のセグメントの外枠をトッププレートに印刷しているが、外枠を印刷せずデジタル数値表示のみを加熱動作時に表示し、加熱非動作時には非表示にすることで、加熱調理器を上方から見て平面的に捉えた際に、各加熱領域と各加熱領域に対応した各数値表示部の位置関係がより一層明確化するという効果も得られ、これに限定されるものではない。
【産業上の利用可能性】
【００９４】
以上のように、本発明に係る加熱調理器は、本体の上面の左右スペースを狭くすることができ、かつ、第１加熱領域８と第２加熱領域１０に対応する第１数値表示部５と第２数値表示部７との関連性を保つことができるので、組み込み式や置き台の上で使用する据え置き型、又はガスコンロ等で、家庭用又は業務用の加熱調理器の用途に有効である。
【００９５】
また、本発明に係る加熱調理器は、第１加熱領域８と第２加熱領域１０に対応する第１数値表示部５と第２数値表示部７との関連性を保つことができるので、本体の上面の左右スペースを狭くすることが可能となり、組み込み式や置き台の上で使用する据え置き型、又はガスコンロ等で、家庭用又は業務用の加熱調理器に有効である。
【符号の説明】
【００９６】
１  本体
２  第１加熱部
３  第２加熱部
４  温度調整部
５  第１数値表示部
６  火力調整部
７  第２数値表示部
８  第１加熱領域
９  第１加熱領域表示部
１０  第２加熱領域
１１  第２加熱領域表示部
１２  第１接線
１３  第２接線
１４  第２加熱部の中心
１５  第３接線
１６  第１中心点
１７  第２中心点
１８  第１出力調整部
１９  温度調整部
２０  第１制御部
２１  第２出力調整部
２２  第２制御部
２３  インバータ回路
２４  赤外線センサ
２５  トッププレート
２６  被加熱物
２７  第３中心点
２８  第４中心点
２９  第１線分
３０  第２線分
３１  第１角度
３２  第２角度
３３  第１入力部
３４  第２入力部
３５  第１中心線
３６  第２中心線
【手続補正２】
【補正対象書類名】特許請求の範囲
【補正対象項目名】全文
【補正方法】変更
【補正の内容】
【特許請求の範囲】
【請求項１】
本体の上面に設けられ、被加熱物を下方から加熱する第１加熱部及び第２加熱部を備え、
前記第１加熱部は、
加熱出力を設定出力になるように調整する第１出力調整部と、
前記第１加熱部と対応して前記本体の上面の手前側に設けられ前記設定出力を表示する３桁以上の第１数値表示部と、
前記本体の上面に設けられ、前記第１加熱部で加熱可能な範囲となる第１加熱領域を表示する第１加熱領域表示部と、
を備え、
前記第２加熱部は、
加熱出力を設定出力になるように調整する第２出力調整部と、
前記第２加熱部と対応して前記本体の上面の手前側に設けられ、前記設定出力を表示する２桁以下の第２数値表示部と、
前記本体の上面に設けられ第２加熱部で加熱可能な範囲となる第２加熱領域を表示する第２加熱領域表示部と、
を備え、
前記本体の前面に垂直で前記第２加熱部が位置する側の前記第１加熱領域の接線である第１接線が前記第２加熱領域と交差し、かつ、前記本体の前面に垂直で前記第２加熱部が位置する側と反対側の前記第１加熱領域の接線である第２接線が前記第２加熱領域と交差しない構成とした加熱調理器。
【請求項２】
前記第１接線が前記本体正面から見て前記第２加熱部の中心より右側で前記第２加熱領域と交差する構成とした請求項１に記載の加熱調理器。
【請求項３】
前記本体の前面に対して垂直で前記第１加熱領域と交差しない側の前記第２加熱領域の接線である第３接線と前記第１接線との間に前記第２数値表示部を前記第２数値表示部の全体が含まれるように配置する構成とした請求項１または２に記載の加熱調理器。
【請求項４】
前記第１数値表示部の端部が前記第２接線上に位置し、前記第２数値表示部の端部が前記第３接線上に位置するとともに、前記第２加熱部の中心が前記第１接線よりも前記第１加熱部側に位置する構成とした請求項３に記載の加熱調理器。
【請求項５】
前記第２数値表示部の左右方向の幅は、前記第１接線と前記第３接線との間の距離よりも小さくなるように構成した請求項３または４に記載の加熱調理器。
【請求項６】
前記第１加熱領域及び前記第２加熱領域は本体の上面から見て円形とし、前記第２加熱領域の直径は、前記第１加熱領域の直径よりも小さくなるように構成した請求項１〜５のいずれか１項に記載の加熱調理器。
【請求項７】
前記第１数値表示部の中心となる第１中心点が前記本体の前面に垂直で前記第１加熱部の中心を通る第１中心線と前記第１接線との間に位置するとともに、
前記第２数値表示部の中心となる第２中心点が前記本体の前面に垂直で前記第２加熱部の中心を通る第２中心線と前記本体の前面に対して垂直で前記第１加熱領域と交差しない側の前記第２加熱領域の接線である第３接線との間に位置する構成とした請求項１に記載の加熱調理器。
【請求項８】
前記第１数値表示部は、前記第１加熱部が前記設定出力で加熱動作を行う際に、前記第２数値表示部に最も近いセグメント以外のセグメントで前記設定出力のレベルを表示するようにした請求項１または７に記載の加熱調理器。
【請求項９】
前記第１加熱部の中心を示す第３中心点と前記第２加熱部の中心を示す第４中心点を有し、
前記第１中心点と前記第３中心点を結ぶ第１線分と前記第１中心線から形成される第１角度と、前記第２中心点と前記第４中心点を結ぶ第２線分と前記第２中心線から形成される第２角度が略同一となる前記第１数値表示部のセグメントで前記設定出力のレベルを表示するようにした請求項１または７に記載の加熱調理器。
【手続補正３】
【補正対象書類名】図面
【補正対象項目名】全図
【補正方法】変更
【補正の内容】
【図１】
2012137518.tif 000014
【図２】
2012137518.tif 000015
【図３】
2012137518.tif 000016
【図４】
2012137518.tif 000017
【図５】
2012137518.tif 000018
【図６】
2012137518.tif 000019
【図７】
2012137518.tif 000020
【図８】
2012137518.tif 000021
【図９】
2012137518.tif 000022
【図１０】
2012137518.tif 000023
【図１１】
2012137518.tif 000024
【国際調査報告】
2012137518.tif 000025
2012137518.tif 000026